(57)【要約】【課題】夜間又は暗所での照明のない現場で使用される消防用ホースを視認するために、懐中電灯などの二次発光体を必要とせず、時間や高価な装置を必要としない、安価な消防用ホース発光装置を提供する。【解決手段】消防用ホース１の周囲に巻いて装着する装着体５と、この装着体５に対し取り付けられる混合化学発光体７と、を有する。混合化学発光体７は、混合することで化学発光する２種類の液体を予め分離して収容し、消防用ホース１が通水により脹らむことで変形して分離の部分が破れ、２種類の液体が混合して化学発光する構造を有する。【選択図】図１
2009247364.tif 000002
【特許請求の範囲】
【請求項１】
消防用ホースの周囲に巻いて装着する装着体と、この装着体に対し取り付けられる混合化学発光体と、を有し、前記混合化学発光体は、混合することで化学発光する２種類の液体を予め分離して収容し、前記消防用ホースが通水により脹らむことで変形して前記分離の部分が破れ、前記２種類の液体が混合して化学発光する構造を有することを特徴とする消防用ホース発光装置。
【請求項２】
前記装着体は、ベルトであり、前記混合化学発光体は、全体が棒状をなし、棒状の密閉外筒の中に棒状の密閉内筒を有し、前記密閉外筒と前記密閉内筒とに前記２種類の液体が分離して収容され、前記密閉内筒は前記変形により破れる材質からなり、前記密閉外筒は前記変形によっても破れない柔軟な材質からなり、前記棒状の両端により前記消防用ホースの幅方向へ沿った位置で前記取付がなされることを特徴とする消防用ホース発光装置。
【発明の詳細な説明】
【技術分野】
【０００１】
この発明は、通常は照明のない現場で使用される消防用ホースの視認性に関する。
【背景技術】
【０００２】
消防用ホースは、通常は、夜間又は暗所での照明のない現場で使用される。一刻の猶予もない迅速な消防活動を迫られる現場において、消防用ホースの視認性は、消防活動の成否を左右する重要な条件にもなりうる。
【０００３】
従来の消防用ホースは、夜間又は暗所での消防用ホースを視認させるために、消防用ホースの表面に反射材又は蓄光材を設けたり（特許文献１、特許文献２）、消防用ホースの使用時に、消防用ホースの表面に発光液を付着させたり（特許文献３）することが提案されている。
【特許文献１】特許公開２００１−１９３８７４
【特許文献２】特許公開２００１−１４９４９６
【特許文献３】特許公開２００４−１６６８４８
【発明の開示】
【発明が解決しようとする課題】
【０００４】
しかしながら、特許文献１、特許文献２のように、反射材又は蓄光材による場合には、消防用ホースを視認するには懐中電灯などの二次発光体が必要になり、二次発光体を持っていない人には、消防用ホースを視認出来ない。
また、特許文献３のように消防用ホースの表面に発光液を付着させことは、二次発光体を必要としないので優れているが、時間とそのための装置が必要になる。付着のための時間が必要であることは、一刻の猶予もない消防活動には、致命的である。また、装置は、運用のコストを押し上げる。
【０００５】
そこでこの発明は、消防用ホースを視認するために、懐中電灯などの二次発光体を必要とせず、時間や高価な装置を必要としない、安価な消防用ホース発光装置を提供することを目的とする。
【課題を解決するための手段】
【０００６】
以上の課題を解決するために、第一発明は、消防用ホースの周囲に巻いて装着する装着体と、この装着体に対し取り付けられる混合化学発光体と、を有し、前記混合化学発光体は、混合することで化学発光する２種類の液体を予め分離して収容し、前記消防用ホースが通水により脹らむことで変形して前記分離の部分が破れ、前記２種類の液体が混合して化学発光する構造を有することを特徴とする消防用ホース発光装置である。
【０００７】
第二発明は、さらに、前記装着体は、ベルトであり、前記混合化学発光体は、全体が棒状をなし、棒状の密閉外筒の中に棒状の密閉内筒を有し、前記密閉外筒と前記密閉内筒とに前記２種類の液体が分離して収容され、前記密閉内筒は前記変形により破れる材質からなり、前記密閉外筒は前記変形によっても破れない柔軟な材質からなり、前記棒状の両端により前記消防用ホースの幅方向へ沿った位置で前記取付がなされることを特徴とする消防用ホース発光装置である。
【発明の効果】
【０００８】
第一、又は第二発明によれば、混合することで自ら化学発光する混合化学発光体を用いるので、懐中電灯などの二次発光体を必要としない。また、装置は、予め、消防用ホースの周囲に巻いて装着しておくことができるので、消防活動時に装着の時間を必要としない。そして、消防活動時には、消防用ホースが通水により脹らむことによる変形で、２種類の液体が混合して、迅速に自動的に化学発光する。また、消防活動が必要となる前に時間をかけて手作業で装着できるので、装着のための装置も必要としない。よって、運用コストも抑えられる。
【０００９】
また、第二発明によれば、さらに、装着体は、ベルトであり、コストが抑えられる。また、全体が棒状の混合化学発光体の両端を、消防用ホースの幅方向へ沿った位置で取り付ることで、消防用ホースが通水により脹らむことに容易に反応して変形し、破れが生じ、液体の混合による化学発光が確実に起こりうるので、誤作動が少ない。
【発明を実施するための最良の形態】
【００１０】
この発明の実施形態を、図１から図３に示す。
図１に示すように、消防用ホース１の長手方向の所定間隔ごとに、多数個の消防用ホース発光装置３を、装着する。各消防用ホース発光装置３は、消防用ホース１の周囲に巻いて装着する装着体５と、この装着体５に対し取り付けられる混合化学発光体７と、を有する。
図２に示すように、装着体５は、軟質の樹脂製のベルトであり、ベルトの両端には面ファスナー９が設けられ、消防用ホース１の周囲に巻いて容易に装着が行える。
【００１１】
このベルトの中央の表面には、円柱棒状の混合化学発光体７の両端を固定するために、２つの円筒状の固定部１１、１２が並んで一体的に形成される。図中右側の固定部１１は、円筒状の右外側の一端１１Ａが閉じており、図中左側の固定部１２は、円筒状の両端１２Ａ，１２Ｂが開放されている。
【００１２】
これにより、円柱棒状の混合化学発光体７は、これら２つの固定部１１、１２に対し、図中左側から挿入される。そして、図中左側の固定部１２の右外側の開放端１２Ｂの近くには、外れ防止突起１３が形成され、挿入された円柱棒状の混合化学発光体７の図中の左端に接し、混合化学発光体７の外れを防止する。
【００１３】
このようにして、円柱棒状の混合化学発光体７は、棒状の両端で、消防用ホース１の幅方向へ沿った位置において、すなわち図中の左右位置において、取付がなされる。
【００１４】
図３（Ａ）（Ｃ）（Ｄ）に示すように、混合化学発光体７は、全体が円柱棒状をなし、円柱棒状の密閉外筒１５の中に、円柱棒状の密閉内筒１７を有する。そして、密閉外筒１５と密閉内筒１７とに２種類の液体が分離して収容される。密閉内筒１７は、消防用ホース１が通水により脹らむことによる変形（  図３（Ｂ）参照）で破れる材質からなり、通常は薄いガラス製等が用いられる。密閉外筒１５は同様の変形によっても破れない樹脂製等の柔軟な材質からなる。よって、後述する混合した液や薄いガラス片は、密閉外筒１５の内部に保たれる。
【００１５】
これら２種類の液体は、密閉内筒１７の破れで、それまでの分離が破れ、混合することで化学発光する。そのように混合して化学反応で発光する２種類の液体には、一般に酸化液と蛍光液とがある。このうち酸化液にはフタル酸ジメチル，Ｈ2Ｏ2，サリチル酸ナトリウムなどが使用される。蛍光液にはフタル酸ジブチル，蛍光物質，反応物質などが使用される。
【００１６】
「実施形態の効果」
この実施形態によれば、消防用ホース１の長手方向の所定間隔ごとに、多数個の消防用ホース発光装置３を、装着するので（図１参照）、通水により脹らんだ消防用ホース１は夜間などでも、点線状に発光し、十分に視認できる。
【００１７】
また、混合することで自ら化学発光する混合化学発光体７を用いるため、懐中電灯などの二次発光体を必要としないで、消防用ホース１を視認できる。
また、装置は、予め、ベルトによって消防用ホース１の周囲に巻いて装着しておくことができるので、消防活動時に装着の時間を必要としない。そして、消防活動時には、消防用ホース１が通水により脹らむことによる変形で、内部の密閉内筒１７が破れ、２種類の液体が混合して、迅速に自動的に化学発光する。
【００１８】
また、予め、消防活動が必要となる前に時間をかけて手作業で装着できるので、装着のための装置も必要としない。よって、運用コストも抑えられる。
さらに、装着体５は、ベルトであり、コストが抑えられる。
【００１９】
また、全体が棒状の混合化学発光体７の両端を、消防用ホース１の幅方向へ沿った位置で、取り付けることで、消防用ホース１が通水により脹らみ内部の圧力Ｐが大きくなることに容易に反応して、棒状の混合化学発光体７が弓状に変形し（図３（Ｂ）参照）、内部の密閉内筒１７が折れて破れが生じ、液体の混合による化学発光が確実に起こりうる。よって装置の誤作動が少ない。
なお、混合化学発光体7は使い捨てである。装着体5と混合化学発光体７は取り付け取り外しが簡単である。また、混合化学発光体7を使用した後は、装着体5を消防用ホースに取り付けたまま、混合化学発光体7を取り替えることが出来る。
【００２０】
「他の実施形態」
以上の実施形態では、装着体５は、ベルトであったが、他の実施形態では、網状のものでも良い。
また、以上の実施形態では、混合化学発光体７は、全体が円柱棒状をなし棒状の密閉外筒１５の中に棒状の密閉内筒１７を有するものであったが、他の実施形態では、円柱以外の棒状でも良い。さらには、棒状ではなく、板状内部に空間を有する円盤状でも良い。
【００２１】
すなわち、外部容器としての大型の円盤状容器の中に、内部容器としての小型の円盤状容器が収納されることで、２種類の液体を予め分離して収容し、消防用ホース１が通水により脹らむことで全体が変形して、内部容器が破れ、２種類の液体が混合して化学発光する構造、としても良い。
【図面の簡単な説明】
【００２２】
【図１】この発明の一実施形態にかかる消防用ホース発光装置を消防用ホースへ取り付ける状態を示す斜視図である。
【図２】図１の消防用ホース発光装置を拡大して示す斜視図である。
【図３】（Ａ）は図１のＩＩＩ−ＩＩＩ断面図、            （Ｂ）は（Ａ）の動作を示す図、            （Ｃ）は（Ａ）の混合化学発光体を示す図、            （Ｄ）は（Ｃ）の断面図である。
【符号の説明】
【００２３】
１…消防用ホース、３…消防用ホース発光装置、５…装着体、７…混合化学発光体、９…面ファスナー、１１、１２…固定部、１３…防止突起、１５…密閉外筒、１７…密閉内筒。
【図１】
2009247364.tif 000003
【図２】
2009247364.tif 000004
【図３】
2009247364.tif 000005